(57)【特許請求の範囲】
【請求項１】
筒状にして側面方向に可撓性を備え、軸方向に剛性を備えるアウターチューブと、
該アウターチューブ内に摺動自在に収納される、側面方向に可撓性を備え、軸方向に剛性を備えたインナーワイヤと、
前記アウターチューブに固着され、且つアウターチューブの軸方向に沿って配設される金属線と、
から成る遠隔操作式排水栓装置のレリースワイヤにおいて、
前記金属線は前記アウターチューブよりも温度変化による伸縮率の低い金属より成り、
前記アウターチューブは端部に硬質部材を有し、
前記硬質部材は、前記アウターチューブの軸方向の収縮により前記アウターチューブの端部より金属線が飛び出そうとする際金属線と当接し、当該金属線の飛び出しを防止することを特徴とする遠隔操作式排水栓装置のレリースワイヤ。
【請求項２】
前記アウターチューブにアウターエンドがインサート成形され、
前記硬質部材がアウターチューブとアウターエンド間に配置固定されていることを特徴とする請求項１に記載の遠隔操作式排水栓装置のレリースワイヤ。
【請求項３】
前記硬質部材が金属製のワッシャーであることを特徴とする請求項１若しくは請求項２に記載の遠隔操作式排水栓装置のレリースワイヤ。
【請求項４】
前記硬質部材が、アウターチューブ内部に圧入される筒部分と外側方向に突出して構成されるフランジ部を有することを特徴とする請求項１若しくは請求項２に記載の遠隔操作式排水栓装置のレリースワイヤ。
【請求項５】
前記硬質部材が、アウターチューブ外周に嵌合される筒部分と内側方向に突出して構成されるフランジ部を有することを特徴とする請求項１若しくは請求項２に記載の遠隔操作式排水栓装置のレリースワイヤ。
【請求項６】
前記硬質部材が、アウターチューブ内周及び外周に嵌め込まれる形状であることを特徴とする請求項１若しくは請求項２に記載の遠隔操作式排水栓装置のレリースワイヤ。
【発明の詳細な説明】
【技術分野】
【０００１】
本発明は、遠隔操作式排水栓装置のレリースワイヤに関するものである。
【背景技術】
【０００２】
遠隔操作式排水栓装置のレリースワイヤは、操作部と、浴槽や洗面ボウル等の槽体の排水口を連絡するように配置され、該操作部の押動操作を、排水口に設けられた弁体へと伝えることによって弁体の開口／閉口を行うことを可能とするものである。
又、遠隔操作式排水栓装置のレリースワイヤは、アウターチューブとインナーワイヤより構成され、アウターチューブの端部にはアウターエンドが備えられている。
前記アウターチューブは合成樹脂より成り、円筒状にして側面方向に可撓性を備え、軸方向に剛性を備えている。
インナーワイヤは金属より成り、前記アウターチューブ内に摺動自在に収納されるワイヤー部材であり、側面方向に可撓性を備え、軸方向に剛性を備えている。
アウターエンドは前記アウターチューブ端部に取り付けられる部材であって、アウターチューブと操作部等の、遠隔操作式排水栓装置のその他の部材との接続を行う。
【０００３】
上記構成の遠隔操作式排水栓装置では、前記操作部の押動操作によって、インナーワイヤがアウターチューブ内を摺動し、弁体を突き上げることによって、弁体の開口／閉口を行うことが出来る。
【０００４】
上記遠隔操作式排水栓装置に配置されるレリースワイヤは、従来、アウターエンドを金属製とし、アウターチューブにカシメ固定していたが、当該カシメ固定ではアウターチューブに鋭利な金属が食い込み、破れが発生するという問題が生じていた。
そこで、文献１に記載の構造においては、アウターエンドを合成樹脂製とし、アウターチューブ端部にインサート成形することで当該破れに関する問題を解決している。又、アウターエンドを合成樹脂製としてアウターチューブ端部にインサート成形することによって、金属製アウターエンドよりも素材単価を下げることを可能としている。
【０００５】
ところで、遠隔操作式排水栓装置のレリースワイヤは、上記の通り洗面ボウルや浴槽等の槽体の排水口と連結する為、当該排水口からの湯等にレリースワイヤが晒される。この為、直接湯等に晒されるアウターチューブが伸縮し、軸方向長さが変化しまうことがある。（加熱により膨張するか収縮するかは材質によって異なる）
一方、インナーワイヤは前記アウターチューブ内にある為、直接湯等に晒されない。この為、インナーワイヤは前記アウターチューブよりも熱による影響が小さく、軸方向への伸縮の割合が低い。
即ち、当該レリースワイヤが湯等に晒された場合、アウターチューブのみ大きく軸方向長さが変動する為、弁体の開口／閉口に以下の問題が生じる。
【０００６】
アウターチューブが収縮し、軸方向長さが短くなった場合、インナーワイヤの突き出し長さがアウターチューブに対して相対的に長くなる。その為、インナーワイヤがアウターチューブより（好適な長さより長く）飛び出した状態となり、弁体を良好に閉口することが出来なくなるという問題が生じる。
逆に、アウターチューブが膨張し、軸方向長さが長くなった場合、インナーワイヤの突き出し長さがアウターチューブに対して相対的に短くなる。その為、インナーワイヤがアウターチューブより（好適な長さより短く）飛び出した状態となり、弁体を良好に開口することが出来なくなるという問題が生じる。
【０００７】
尚、上記問題は、アウターチューブが合成樹脂製であって、インナーワイヤが金属である場合は、材質の膨張率の違いにより顕著に現れる。
【０００８】
そこで、文献２に記載の構造においては、アウターチューブ内部にステンレス線材等の、アウターチューブよりも温度変化による伸縮率の低い金属線を網目状に配置し、アウターチューブの伸縮を抑えることによって上記問題の解決を図っている。
【先行技術文献】
【特許文献】
【０００９】
【特許文献１】特開２００７−２０４９１５号
【特許文献２】特開２００２−１４７４３０号
【発明の概要】
【発明が解決しようとする課題】
【００１０】
しかし、文献２に記載の遠隔操作式排水栓装置のレリースワイヤにおいて、アウターチューブが軸方向に収縮しようとする力が、（金属線による）当該収縮を抑える力を上回った場合、金属線がアウターチューブ端部より飛び出してしまうという新たな問題が生じる。（図９）
即ち、文献２に記載の遠隔操作式排水栓装置のレリースワイヤはアウターチューブの伸縮の割合をある程度抑えることが可能であるものの、該伸縮を完全に防ぐことは出来ない。
【００１１】
又、当該内部に金属線を設けたアウターチューブ端部に、文献１に記載の構造のように合成樹脂製のアウターエンドが取り付けられている場合、前記飛び出した金属線がアウターエンドを貫通してしまい、動作不良を生じさせてしまうという更に新たな問題が生じる。
【００１２】
特に、文献１に記載の遠隔操作式排水栓装置のように、レリースワイヤをガイドする為のチューブ管が設けられている場合、該チューブ管内にも湯等が流れる。その為、アウターチューブが湯等に晒される時間・面積が増大し、更にアウターチューブが軸方向に収縮する。
又、浴槽等に使用される全長の長い遠隔操作式排水栓装置のレリースワイヤ、具体的には１０００ｍｍ以上のレリースワイヤにおいては、アウターチューブの収縮する長さが全体として大きくなる。その為、金属線が飛び出す問題が顕著に現れる。（通常、洗面台等に使用されるレリースワイヤは２５０ｍｍ〜４００ｍｍ程度である。）
【００１３】
そこで、本発明は上記新たな問題を踏まえ、アウターチューブの温度変化による伸縮を防ぎ、且つアウターチューブが収縮した場合における金属線の飛び出しを防止することが可能である遠隔操作式排水栓装置のレリースワイヤを提供することを課題とする。
【課題を解決するための手段】
【００１４】
上記課題を解決する為の請求項１に記載の発明は、筒状にして側面方向に可撓性を備え、軸方向に剛性を備えるアウターチューブと、
該アウターチューブ内に摺動自在に収納される、側面方向に可撓性を備え、軸方向に剛性を備えたインナーワイヤと、
前記アウターチューブに固着され、且つアウターチューブの軸方向に沿って配設される金属線と、
から成る遠隔操作式排水栓装置のレリースワイヤにおいて、
前記金属線は前記アウターチューブよりも温度変化による伸縮率の低い金属より成り、
前記アウターチューブは端部に硬質部材を有し、
前記硬質部材は、前記アウターチューブの軸方向の収縮により前記アウターチューブの端部より金属線が飛び出そうとする際金属線と当接し、当該金属線の飛び出しを防止することを特徴とする遠隔操作式排水栓装置のレリースワイヤである。
【００１５】
請求項２に記載の発明は、前記アウターチューブにアウターエンドがインサート成形され、
前記硬質部材がアウターチューブとアウターエンド間に配置固定されていることを特徴とする請求項１に記載の遠隔操作式排水栓装置のレリースワイヤである。
【００１６】
請求項３に記載の発明は、前記硬質部材が金属製のワッシャーであることを特徴とする請求項１若しくは請求項２に記載の遠隔操作式排水栓装置のレリースワイヤである。
【００１７】
請求項４に記載の発明は、前記硬質部材が、アウターチューブ内部に圧入される筒部分と外側方向に突出して構成されるフランジ部を有することを特徴とする請求項１若しくは請求項２に記載の遠隔操作式排水栓装置のレリースワイヤである。
【００１８】
請求項５に記載の発明は、前記硬質部材が、アウターチューブ外周に嵌合される筒部分と内側方向に突出して構成されるフランジ部を有することを特徴とする請求項１若しくは請求項２に記載の遠隔操作式排水栓装置のレリースワイヤである。
【００１９】
請求項６に記載の発明は、前記硬質部材が、アウターチューブ内周及び外周に嵌め込まれる形状であることを特徴とする請求項１若しくは請求項２に記載の遠隔操作式排水栓装置のレリースワイヤである。
【発明の効果】
【００２０】
請求項１に記載の発明によれば、アウターチューブが熱等によって収縮しようとする際、該アウターチューブ端部より飛び出そうとする金属線を硬質部材が押さえつける。そして、硬質部材は金属線の飛び出しを防止する。
請求項２乃至請求項５に記載の発明によれば、アウターチューブにアウターエンドがインサート成形されている為、アウターチューブとアウターエンドは離間することがない。又、前記硬質部材がアウターチューブとアウターエンド管に配置固定されている為、アウターチューブは金属線よりも収縮することが出来ない。
【図面の簡単な説明】
【００２１】
【図１】本発明の一部省略施工断面図である。
【図２】本発明のレリースワイヤの要部断面図である。
【図３】本発明のレリースワイヤのアウターチューブ内部を示す一部破断側面図である。
【図４】図３のＡ−Ａ’断面図である。
【図５】本発明のレリースワイヤの内部構造を示す断面図である。
【図６】本発明のレリースワイヤの第二実施形態を示す要部断面図である。
【図７】本発明のレリースワイヤの第三実施形態を示す要部断面図である。
【図８】本発明のレリースワイヤの第四実施形態を示す要部断面図である。
【図９】アウターチューブの収縮により内部の金属線が飛び出した状態を示す側面図である。
【発明を実施するための形態】
【００２２】
以下、図面を参照しながら本発明の遠隔操作式排水栓装置のレリースワイヤを説明する。尚、以下に記載する説明は理解を容易にする為のものであり、これによって本発明が制限して理解されるものではない。又、特に断りの無い限り、図１の設置状態を基準として上下左右を説明する。
【００２３】
図１に示す遠隔操作式排水栓装置のレリースワイヤ１は、以下に記載する槽体２０の排水口２１と、操作部３０を連絡する。
【００２４】
槽体２０は浴槽であって、底部に円形の排水口２１が開口し、該排水口２１の下方にエルボ部材２５が配置されている。又、排水口２１は槽体２０に生じた排水を下流側に排出する開口であって、排水栓２２、弁体２３が取り付けられている。尚、排水栓２２には後述するレリースワイヤ１を取り付ける為の取付部２４が設けられている。
【００２５】
弁体２３は排水口２１の開閉を行う弁部材であり、後述する操作部３０の操作により上下動し、排水口２１を通水／止水可能な状態にする。
【００２６】
エルボ部材２５は前記排水栓２２を介して槽体２０の排水口２１と連結し、排水を更に下流側へと排出する為の流路を形成する部材であり、流入口２６、流出口２７と、チューブ管２９及び後述するレリースワイヤ１が連結される接続口２８を有している。
又、エルボ部材２５は流入口２６より流入した排水を側方の流出口２７へと排出し、流路を湾曲させる。
【００２７】
チューブ管２９は可撓性を備えた中空パイプ状の部材であって、一端はエルボ部材２５の接続口２８に、他端は操作部３０にそれぞれ接続され、その内部にレリースワイヤ１を挿通させることで、レリースワイヤ１のガイドとして機能する。
【００２８】
操作部３０は任意の場所に配置される部材であって、操作ボタンなどを押し込むことによって、内部に設けられたスラストロック機構（図示せず）と呼ばれる機構を動作させ、後述するレリースワイヤ１を介して前記弁体２３の上下動を制御することが可能な部材である。尚、当該スラストロック機構は内部に、上下方向に昇降自在で、前記操作ボタンの押し動作を受ける都度、上昇した状態を維持固定／固定を解除させ降下を繰り返す支持軸を備えている。
【００２９】
上記排水口２１と操作部３０を連絡するレリースワイヤ１は、図２乃至図５に示すように、アウターチューブ２、インナーワイヤ６より構成され、端部に後述する硬質部材７、アウターエンド８、ロッド部１１、ワイヤーカバー１２を備える。
【００３０】
アウターチューブ２はポリエチレンより成る円筒状にして側面方向に可撓性を備え、軸方向に剛性を備えており、且つ内層３と外層４に分かれている。又、アウターチューブ２は内層３と外層４の間に網目状の金属線５を備えており、押し出し成形によって成形される。即ち、アウターチューブ２は内側より内層３、金属線５、外層４の三層構造となっており、金属線５は内層３と外層４の間に埋設されている。
【００３１】
金属線５は、図２乃至図５に示すように、アウターチューブ２の内層３と外層４の間において網目状に８本巻着されているステンレス線材であって、軸方向に剛性を有している。尚、金属線５はステンレス線材である為、前記アウターチューブ２の内層３と外層４の素材であるポリエチレンよりも温度変化による伸縮率が低い。
【００３２】
インナーワイヤ６は前記アウターチューブ２内に摺動自在に収納されるワイヤー部材であり、側面方向に可撓性を備え、軸方向に剛性を備えた金属製の撚り線である。又、インナーワイヤ６は一端にロッド部１１が取り付けられており、インナーワイヤ６は前記操作部３０の押動操作に連動してアウターチューブ２内部を摺動すると共に、ロッド部１１により弁体２３を突き上げ、上下動させる。
【００３３】
硬質部材７は前記アウターチューブ２の両端であって、前記金属線５の軸方向延長線上に配置される、中心にインナーワイヤ６を挿通する開口を有する略ドーナツ板状の金属製ワッシャーである。又、硬質部材７の前記開口の径は前記アウターチューブ２の内径と略等しく、硬質部材７の外径はアウターチューブ２の外径よりもやや大きい。
尚、硬質部材７は上記の通り金属線５の軸方向延長線上に配置される為、後述するように、アウターチューブ２が軸方向に収縮した際飛び出そうとする金属線５と当接する箇所に位置している。
【００３４】
アウターエンド８は図２に示すように、前記硬質部材７を介してアウターチューブ２の両端にインサート成形されている合成樹脂製の部材である。尚、前記アウターエンド８は前記アウターチューブ２の両端にインサート成形され、一方が前記操作部３０の下端に、他方が後述するワイヤーカバー１２に固定される。
【００３５】
ロッド部１１は弁体２３と当接して弁体２３を上下動させる部材であり、レリースワイヤの一端であって取付部２４側に設けられる。
【００３６】
ワイヤーカバー１２は前記アウターエンド８と螺合により連結し、インナーワイヤ６の座屈を防ぐと共に、内部にロッド部１１の動作をガイドする空間を有する。
又、ワイヤーカバー１２は前記排水栓２２の取付部２４に固定される。
【００３７】
上記した遠隔操作式排水栓装置のレリースワイヤ１は操作部３０に押動操作を加えることによってアウターチューブ２の内側のインナーワイヤ６が摺動し、インナーワイヤ６端部に取り付けられたロッド部１１が弁体２３を下方より突き上げることによって排水口２１を通水可能に開口する。又、この時、操作部３０に設けられた図示しないスラストロック機構が作動し、弁体２３を当該位置にて固定する。
そして、この状態においてもう一度操作部３０に押動操作を加えると、スラストロック機構が再び作動し、前記固定が解除されることにより弁体２３が下降し、排水口２１を通水不可能に閉塞する。
以降、操作部３０の押動を繰り返すことによって、弁体２３の上下動を遠隔的且つ自在に操作することが出来る。
【００３８】
上記操作部３０の押動によって弁体２３が上昇し、排水口２１を通水可能に開口すると、排水はエルボ部材２５の流入口２６、流出口２７を通り、更に下流側の配管へと排出される。
又、この時、流入口２６より流入した排水は、流出口２７へと流れると共に、該排水の一部が接続口２８を介してチューブ管２９内に流入する。
【００３９】
上記チューブ管２９内に流入した排水（湯）によって本発明の遠隔操作式排水栓装置のレリースワイヤ１に対し熱が加わった際、該熱によってアウターチューブ２が収縮しようとする。しかし、熱による収縮の割合が低い金属線５が内層３と外層４の間に固着されている為、アウターチューブ２の、軸方向の収縮が抑制される。
当該抑制力を超えてアウターチューブ２が収縮しようとしても、本発明ではアウターチューブ２の端部に金属製のワッシャーから成る硬質部材７が設けられている為、金属線５がアウターチューブ２の端部より飛び出そうとしても、硬質部材７が当接し、金属線５の飛び出しを押さえ付ける。従って、アウターチューブ２から金属線５が飛び出すことを防ぐことが出来る。
又、アウターチューブ２は端部にアウターエンド８がインサート成形されており、アウターチューブ２はアウターエンド８と離間不可能である為、アウターチューブ２は金属線５よりも収縮することが出来ない。その為、アウターチューブ２の収縮自体を更に抑制することが出来る。
【００４０】
このように、本発明ではアウターチューブ２の軸方向の収縮が抑制出来る為、
アウターチューブ６の飛び出し長さが変わらず、弁体２３の開閉を好適に行うことが出来る。
【００４１】
尚、上記レリースワイヤ１のアウターチューブ２は熱収縮性を有するポリエチレンより成るが、本発明はこれに限られるものではなく、例えば熱膨張性を有する材質より成るアウターチューブ２でも良い。この場合においては、例えば寒冷地等の低温下に配置された際のアウターチューブ２の収縮を防ぐと共に、当該収縮に伴う金属線５の飛び出しを防ぐことが出来る。
【００４２】
又、本発明ではアウターエンド８を合成樹脂製としてインサート成形している為、カシメ固定によるアウターエンド２の破れが生じず、且つ部材単価を下げることが可能である。
【００４３】
本発明の第一実施形態は上記のようであるが、本発明は上記実施形態に限定されることなく、発明の要旨を逸脱することのない範囲において自在に変更することが出来る。
【００４４】
例えば、上記実施形態において、金属線５の硬質部材７は金属製のワッシャーであったが、図６に示す本発明の第二実施形態のように、金属製のワッシャーに換えて、アウターチューブ２内部に圧入される筒部分と外側方向に突出して形成されるフランジ部を有する硬質部材７として圧入しても良い。
【００４５】
又、上記第二実施形態以外にも、図７に示す本発明の第三実施形態のように、硬質部材７を金属製のワッシャーに換えて、アウターチューブ２外周に嵌合する筒部分と内側にフランジ部を有する硬質部材７として、アウターチューブ２端部の外周に嵌め込んでも良い。
【００４６】
又、上記第二、第三実施形態以外にも、図８に示す本発明の第四実施形態のように、硬質部材７を金属製のワッシャーに換えて、アウターチューブ２内周及び外周に嵌め込まれる形状の硬質部材７として、アウターチューブ２端部に嵌め込んでも良い。
【００４７】
又、硬質部材７は金属製のものに限られるものではなく、金属線５が貫通しない程度の硬度があれば良い。そして、アウターエンド８が金属線５が貫通しない程度の硬度を有する材質から成る場合、硬質部材７をアウターエンド８と別体とする必要はなく、アウターエンド８が硬質部材７を兼ねても良い。
【００４８】
又、上記実施形態では金属線５が押し出し成形によってアウターチューブ２の内部に埋設されていたが、本発明はこれに限られるものではなく、例えばアウターチューブ２の内周に配されていても良く、又、外周に配されていても良い。成形方法に関しても、押し出し成形によって内層３、金属線５、外層４の三層が同時に成形されても良いし、一層ごとに成形し張り合わせる形でも良いものであって、どの様な成形方法であっても良い。
【符号の説明】
【００４９】
１  レリースワイヤ
２  アウターチューブ
３  内層
４  外層
５  金属線
６  インナーワイヤ
７  硬質部材
８  アウターエンド
１１  ロッド部
１２  ワイヤーカバー
２０  槽体
２１  排水口
２２  排水栓
２３  弁体
２４  取付部
２５  エルボ部材
２６  流入口
２７  流出口
２８  接続口
２９  チューブ管
３０  操作部
【図１】
0006031641.tif 000002
【図２】
0006031641.tif 000003
【図３】
0006031641.tif 000004
【図４】
0006031641.tif 000005
【図５】
0006031641.tif 000006
【図６】
0006031641.tif 000007
【図７】
0006031641.tif 000008
【図８】
0006031641.tif 000009
【図９】
0006031641.tif 000010